(57)【要約】      （修正有）【課題】段ボール紙や、組み立ての際の接着剤等の使用量を抑えることができ、かつ、容易に開封することができるラップアラウンド型の段ボール箱を提供する。【解決手段】この順に連結される一の側面板２、底面板、他の側面板及び天面板５と、上記底面板及び天面板の前後端縁からそれぞれ延出する二対の外フラップと、上記一及び他の側面板の前後端縁からそれぞれ延出する二対の内フラップ１１，１３等とを有する段ボール紙から形成されるラップアラウンド型の段ボール箱１であって、上記天面板と一の側面板とが連結されておらず、上記天面板とこの天面板から延出する一対の外フラップ７，９等とが分離可能に形成されていることを特徴とする。【選択図】図１
0003163927.tif 000002
【実用新案登録請求の範囲】
【請求項１】
この順に連結される一の側面板、底面板、他の側面板及び天面板と、
上記底面板及び天面板の前後端縁からそれぞれ延出する二対の外フラップと、
上記一及び他の側面板の前後端縁からそれぞれ延出する二対の内フラップと
を有する段ボール紙から形成されるラップアラウンド型の段ボール箱であって、
上記天面板と一の側面板とが連結されておらず、
上記天面板とこの天面板から延出する一対の外フラップとが分離可能に形成されていることを特徴とする段ボール箱。
【請求項２】
上記天面板とこの天面板から延出する一対の外フラップとが、ジッパー状切込線を介して連結されている請求項１に記載の段ボール箱。
【請求項３】
上記天面板が側端縁と平行に形成される罫線を有する請求項１又は請求項２に記載の段ボール箱。
【考案の詳細な説明】
【技術分野】
【０００１】
本考案は、ラップアラウンド型の段ボール箱に関する。
【背景技術】
【０００２】
従来、段ボール箱は、輸送から商品陳列までの間、複数の商品をまとめて収容する容器として、あるいは家電製品、鉢植え等の重量物商品を販売する際の包装容器として用いられている。特に、缶入り飲料や、洗剤等を収容する場合には、ラップアラウンド型の段ボール箱が用いられる場合がある。
【０００３】
このラップアラウンド型の段ボール箱は、天面板と、底面板と、これら天面板及び底面板とをつなぐ一対の側面板とによって四角状筒体を形成し、この四角状筒体の両端の開口面を天面板及び底面板から延出する外フラップと、側面板から延出する内フラップとによって封緘するようにされたものである。
【０００４】
このようなラップアラウンド型の段ボール箱においては、上記四角状筒体を形成するために、例えば天面板の側縁から延出し、天面板と一の側面板とを接着するための糊代部が設けられている。従って、このラップアラウンド型の段ボール箱を組み立てる場合は、上述の各外フラップと内フラップとを、及び上記糊代部と側面板とをホットメルト系接着剤等を用いて接着することで、高い強度を有する段ボール箱が形成されることとなる。
【０００５】
このラップアラウンド型の段ボール箱の開封の仕方としては、接着剤により封止された外フラップ部分を開封する方法がある（例えば、特開２００６−７６５８８号公報等参照）。また、ラップアラウンド型の段ボール箱においては、箱を上下（天面板側と底面板側）に２分割することで底面板側をそのまま製品の陳列用トレーとして活用することが可能であるため、輸送箱として店頭に持ち込んだ後、箱を上下に二分割し、底面板側をそのまま陳列用トレーとして店頭陳列することがよく行われている。このようなラップアラウンド型の箱を二分割する方法としては、カットテープによる方法が一般的であり、例えば内フラップ及び側面板にカットテープを設け、このカットテープを引き出すことによって二分割を行う段ボール箱などが開発されている（特開２００６−９６３９９号公報参照）。
【０００６】
一方、包装材として段ボール箱を多用する流通業界においては、環境・省エネルギー面やコスト面に高い配慮がなされている。このため、段ボール箱の軽量化や、組み立ての際の接着剤等の使用量の少量化等が検討されている。また、上述のラップアラウンド型の段ボール箱の開封手段は、開封が容易であるとは言い難く、改良の余地がある。
【先行技術文献】
【特許文献】
【０００７】
【特許文献１】特開２００６−７６５８８号公報
【特許文献２】特開２００６−９６３９９号公報
【考案の概要】
【考案が解決しようとする課題】
【０００８】
本考案はこれらの事情に鑑みてなされたものであり、段ボール紙や、組み立ての際の接着剤等の使用量を抑えることができ、かつ、容易に開封することができるラップアラウンド型の段ボール箱を提供することを目的とする。
【課題を解決するための手段】
【０００９】
上記課題を解決するためになされた考案は、
この順に連結される一の側面板、底面板、他の側面板及び天面板と、
上記底面板及び天面板の前後端縁からそれぞれ延出する二対の外フラップと、
上記一及び他の側面板の前後端縁からそれぞれ延出する二対の内フラップと
を有する段ボール紙から形成されるラップアラウンド型の段ボール箱であって、
上記天面板と一の側面板とが連結されておらず、
上記天面板とこの天面板から延出する一対の外フラップとが分離可能に形成されていることを特徴とするものである。
【００１０】
当該段ボール箱によれば、天面板と一の側面板とが連結されないため、天面板から延出し、この側面板と接着される糊代部が不要となる。従って、当該段ボール箱によれば、糊代部を設けないことで段ボール紙の使用量を削減し、この糊代部に貼着する接着剤も不要となることから、接着剤の使用量も削減することができる。
【００１１】
また、当該段ボール箱によれば、天面板と一の側面板とが連結されていないことに加えて、上記天面板とこの天面板から延出する一対の外フラップとが分離可能に形成されているため、一の側面板側の天面板の側端縁を持って引き上げることによって、容易に開封することができる。さらに、この段ボール箱によれば、側面部分（側面板及び外フラップ等）が他の段ボール箱等によって隠れている場合などにおいても、天面板を持つことによって容易に開封することができる。また、当該段ボール箱によれば、開封を容易にするためのカットテープを設けていないため、このカットテープの使用も削減することができる。
【００１２】
上記天面板とこの天面板から延出する一対の外フラップとが、ジッパー状切込線を介して連結されているとよい。当該段ボール箱によれば、天面板とこの天面板から延出する一対の外フラップとの間に、ジッパー状切込線による加工が施されていることにより、この加工線に沿って、天面板を分離することができるため、開封がさらに容易となる。
【００１３】
上記天面板が側端縁と平行に形成される罫線を有するとよい。当該段ボール箱によれば上記天面板がこのような罫線を有することで、天面板を外フラップと分離して開封した後に、この罫線に沿って天面板を折り曲げて用いることができる。このため、当該段ボール箱によれば、例えば製品の陳列用トレーとして活用する場合に、この天面板の外側面等を商品広告等の表示板として活用することができる。
【００１４】
ここで「ジッパー状切込線」とは、「く」の字形、「Ｌ」字形、「Ｙ」字形、「Ｔ」字形等、折線状又は曲線状の切り込みが連続して形成されてなる切込線をいう。
【考案の効果】
【００１５】
以上説明したように本考案のラップアラウンド型の段ボール箱によれば、段ボール紙や組み立ての際の接着剤等の使用量を抑えることができ、かつ、容易に開封することができる。
【図面の簡単な説明】
【００１６】
【図１】本考案の一実施形態に係る段ボール箱を示す斜視図
【図２】図１の段ボール箱を形成する段ボール紙を示す平面図
【図３】図１の段ボール箱の開封途中を示す斜視図
【図４】図１の段ボール箱の一使用方法を示す斜視図
【考案を実施するための形態】
【００１７】
以下、適宜図面を参照しつつ、本考案の実施の形態を詳説する。
【００１８】
図１の段ボール箱１は、図２の段ボール紙２１を組み立てることによって形成されるラップアラウンド型の段ボール箱である。
【００１９】
この段ボール紙２１の種類としては、特に限定されず、例えば片面段ボール紙、両面段ボール紙、複両面段ボール紙等を用いることができるが、耐圧強度及び軽量化の観点から両面段ボール紙を用いることが好ましい。
【００２０】
また、段ボール紙２１のフルート種としては、Ａフルート、Ｂフルート、Ｃフルート、ＡＢフルート、Ｅフルート等を用いることができるが、薄さ及び重量を低減させ、かつ十分な耐圧強度を発揮させる観点からＢフルートを用いることが好ましい。従来、重量のある商品の梱包には強度の強いＡフルート（厚さ約５ｍｍ）の段ボール紙が用いられている場合が多い。しかしながら、Ｂフルート（厚さ約３ｍｍ）の段ボール紙を用いることで、当該段ボール箱１は、さらなる軽量化及び薄型化が実現でき、使用紙量の低減及び運搬エネルギーの低減の観点から環境負荷を低減させ、搬送効率の向上及び在庫スペースの削減を行うことができる。
【００２１】
段ボール紙２１は、この順に連結される一の側面板２、底面板３、他の側面板４及び天面板５と、上記底面板３及び天面板５の前後端縁からそれぞれ延出する二対の外フラップ６、７、８及び９（外フラップ６と７とが、及び外フラップ８と９とがそれぞれ対となっている。）と、上記一の側面板２及び他の側面板４の前後端縁からそれぞれ延出する二対の内フラップ１０、１１、１２及び１３（内フラップ１０と１１とが、及び内フラップ１２と１３とがそれぞれ対となっている。）とを有する。なお、図２の段ボール紙２１中の細線は折り目を示しており、これらの折り目には折り曲げを容易にする罫線加工が施されていることが好ましい。
【００２２】
一の側面板２及び他の側面板４は、同型同サイズであり、帯状形状を有している。この側面板２及び４の幅（図１における左右方向の長さ）が、当該段ボール箱１の高さとなるため、この幅は梱包される製品のサイズ等に応じて適宜設定される。
【００２３】
底面板３及び天面板５も、同型同サイズであり、方形状を有している。この底面板３及び天面板５のサイズも、梱包される製品のサイズや数等に応じて適宜設定される。
【００２４】
なお、通常のラップアラウンド型の段ボール箱を形成する段ボール紙においては、天面板、底面板及び一対の側面板から四角筒状体を形成するために、例えば、図２の段ボール紙２１における天面板５の他の側面板４と反対側の側端縁Ｌ４から延出するように糊代部が設けられている。
【００２５】
しかし、当該段ボール箱１においては、このような糊代部を備えていないため、段ボール紙の使用量を削減し、組み立ての際に、この糊代部に貼着する接着剤も不要となることから、接着剤の使用量も削減することができる。なお、このように糊代部を備えていないことは、単に糊代部の面積分の段ボール紙の使用量を削減する効果のみならず、図２の段ボール紙２１の形状として示されるように、全体を略方形状とすることができるため、方形状の段ボール原紙から切り離す不要な部分を最小限にすることができ、換言すれば、同型の段ボール箱を得る場合における段ボール原紙のサイズを小さくすることができる。
【００２６】
天面板５は側端縁Ｌ３及びＬ４と平行に形成される罫線Ｌ１を有している。当該段ボール箱１によれば、天面板５がこの罫線Ｌ１を有することで、天面板５を引き上げて開封した後、この罫線Ｌ１に沿って天面板を例えば内側に折り曲げることができる（図４参照）。このため、当該段ボール箱１によれば、製品の陳列用トレーとして活用する場合に、この天面板５の外面側等を商品広告等の表示板として活用することができる。
【００２７】
この罫線Ｌ１の位置としては、以下の中心線Ｍ１と中心線Ｍ２との間であることが好ましい。ここで中心線Ｍ１は、底面板３及び他の側面板４の間の罫線Ｌ２と、天面板５の他の側面板４と接しない側（図２における右側）の側端縁Ｌ４との中心線である。また、中心線Ｍ２は、天面板５の両側端縁（Ｌ３及びＬ４）の中心線である。
【００２８】
罫線Ｌ１が中心線Ｍ１よりも側端縁Ｌ３側の場合は、罫線Ｌ１に沿って天面板５を内側に折り曲げた場合、天面板５の側端縁Ｌ４が底面板３に到達してしまい、天面板５を平らに折り曲げることができないため好ましくない。一方、罫線Ｌ１が中心線Ｍ２よりも側端縁Ｌ４側の場合は、罫線Ｌ１に沿って天面板５を内側に折り曲げた場合、天面板５の側端縁Ｌ４が他の側面板４の上縁まで達しない。この場合、天面板５をこの段ボール箱１に包装された製品や、封緘された状態の内フラップ１２、１３及び外フラップ８、９とで抑えて固定することができないため、好ましくない。
【００２９】
天面板５とこの天面板５から延出する一対の外フラップ８及び９とは、ジッパー状切込線Ｌ５を介して連結されている。このように、天面板５とこの天面板５から延出する一対の外フラップ８及び９との間に、ジッパー状切込線Ｌ５による加工が施されていることによって、天面板５とこの天面板５から延出する一対の外フラップ８及び９とが分離可能に形成されていることとなる。このため、当該段ボール箱１によれば、一の側面板２側の天面板５の側端縁Ｌ４近辺を持って引き上げることによって容易に開封することができる。
【００３０】
ジッパー状切込線Ｌ５の具体的形状としては、天面板５とこの天面板５から延出する外フラップ８及び９との折れ曲げ線上に、この折れ曲げ線と平行に形成される第１の直線状線分、及びこの第１の直線状線分の開口側先端側（側端縁Ｌ４側）から、開口（側端縁Ｌ４側）方向かつ天面板５の内側方向に延出するように形成される第２の直線状線分からなる略「Ｌ」字形（鈍角の折れ曲がり角を有する「Ｌ」字形）の切込線が連続して設けられた切込線の集合体からなっている。ジッパー状切込線Ｌ５をこのような略「Ｌ」字形の集合体とすることで、天面板５の強度を保ちつつ、所望する方向に容易かつきれいに切り離すことができる。
【００３１】
二対の外フラップ６、７、８及び９は、全て同型同サイズであり、帯状形状を有している。この角外フラップの幅（延出方向長さ）は、側面板２及び４の幅、すなわち段ボール箱１の高さの１／２となっている。角外フラップの幅が、このように段ボール箱１の高さの１／２とすることで、組み立てた際に各外フラップの先端縁同士が接し、縦方向の圧縮に対する強度を高めることができる。
【００３２】
また、各外フラップ６、７、８及び９の延出方向先端縁の左右は、左右方向を投げて方向とした帯状に切り欠かれている。各外フラップにこのような切り欠きが設けられていることで、開封の際に、この切り欠き部分から外フラップを開くことができるため、外フラップ部分からの開封を容易にすることができる。
【００３３】
二対の内フラップ１０、１１、１２及び１３も、全て同型同サイズであり、方形状を有している。当該段ボール箱１において、この各内フラップ１０、１１、１２及び１３の延出方向長さは、各外フラップの延出方向長さと同一長さとなってている。このように、内フラップの延出方向長さを外フラップの延出方向長さと同じにすることで、方形の段ボール原紙から、余分な部分を最小限にし、効率的に段ボール紙２１を切り抜くことができるため、段ボール紙の使用量を低減させ、より環境に配慮したものとなる。
【００３４】
次に、当該段ボール箱１の組み立て方法及び使用方法について説明する。
【００３５】
一般的なラップアラウンド型の段ボール箱と同様に、まず、図２の形状の段ボール紙２１の底面板３上に包装される製品を密に置く。この後、一対の側面板２及び４を製品に沿って、立ち上げるように折り曲げる。続いて、天面板５を製品の上側を覆うように、底面板３と平行になるように折り曲げる。この状態においては、一の側面板２の上側端縁と、天面板５の側端縁Ｌ４とが接する状態となっている。
【００３６】
続いて、二対の内フラップ１０、１１、１２及び１３を製品に接するように内側に折り曲げ、この各内フラップに重ねるように、二対の外フラップ６、７、８及び９を内側に折り曲げる。この際、各内フラップと外フラップとが重なる部分においては、ホットメルト系等の接着剤が塗られており、この接着剤によって内フラップと外フラップとが接着されることで、この段ボール箱１が封緘されることとなる（図１参照）。なお、当該段ボール箱のこの一連の組み立て作業は、一般的なラップアラウンド型の段ボール箱組み立て装置を用いても行うことができる。
【００３７】
このように組み立てられた当該段ボール箱１は、上述のように、通常天面板又は側面板に設けられる糊代部を有していないことから、通常のものと比して強度はやや低下するものの、接着剤の使用が内フラップと外フラップとの重なり合う部分に限られ、接着剤の使用量を削減することができる。また、当該段ボール箱１によれば、後述するように開封容易性が高まる。
【００３８】
この段ボール箱１の開封の際には、図３に示すように、天面板５の側端縁Ｌ４部分を持って引き上げることによって、天面板５はジッパー状切込線Ｌ５に誘導されて分離し、開封することができる。このように当該段ボール箱１によれば、天面板５と一の側面板２とが連結されていないことに加えて、上記天面板５とこの天面板５から延出する一対の外フラップ８及び９とが分離可能に形成されているため、一の側面板２側の天面板５の側端縁Ｌ４部分を持って引き上げることによって、容易に開封することができる。さらに、この段ボール箱１によれば、側面部分（側面板及び外フラップ等）が他の段ボール箱等によって隠れている場合などにおいても、上側に位置する天面板５の側端縁Ｌ４部分を持つことによって容易に開封することができるとともに、加えて例えば、開封を容易にするために一般的に設けられるカットテープを備えていないため、このカットテープの使用も削減することができる。
【００３９】
また、当該段ボール箱１は、図４に示されるように開封後においては、天面板５に設けられた罫線Ｌ１に沿って、天面板５を内側に折り曲げることができる。このように折り曲げられた天面板５は、段ボール箱１に収納されている製品、又は図４のように段ボール箱１の左右の内面（内フラップ１２及び１３）に固定される。このように天面板５を折り曲げた当該段ボール箱１は、例えば、製品の陳列用トレーとしてこの段ボール箱１を活用する場合に、この天面板５の外側面等を商品広告等の表示板として活用することができる。
【００４０】
なお、本考案の段ボール箱は上記実施形態に限定されず、例えば、天面板とこの天面板から延出する一対の外フラップとが、ジッパー状切込線の替わりに、ミシン目線（線分状の切込の連続からなる線）や、ハーフカット線などであってもよい。これらの形状の線が設けられている場合も、天板とこの天面板から延出する外フラップとが分離可能であり、天面板を容易に開封することができる。
【００４１】
また、一の側面板の上端縁と接する天面板の側端縁部分、又は、天面板と接する一の側面板の上端縁部分に、一又は複数の切り欠きを設けてもよい。このような切り欠きを設けることで、当該段ボール箱の天面板を開封しようとする場合に、この切り欠きに指などを指して天面板を掴むことができるため、作業性や開封容易性をより高めることができる。
【産業上の利用可能性】
【００４２】
以上のように、本考案の段ボール箱によれば、段ボール紙や、組み立ての際の接着剤等の使用量を抑えることができ、かつ、容易に開封することができるため、缶・瓶等の飲料製品、食品、洗剤等を梱包するラップアラウンド型の段ボール箱として好適に使用することができる。
【符号の説明】
【００４３】
１  段ボール箱
２  一の側面板
３  底面板
４  他の側面板
５  天面板
６、７、８、９  外フラップ
１０、１１、１２、１３  内フラップ
２１  段ボール紙
Ｌ１、Ｌ２  罫線
Ｌ３、Ｌ４  側端縁
Ｌ５  ジッパー状切込線
Ｍ１、Ｍ２  中心線
【図１】
0003163927.tif 000003
【図２】
0003163927.tif 000004
【図３】
0003163927.tif 000005
【図４】
0003163927.tif 000006